【手続補正書】
【提出日】平成16年9月17日(2004.9.17)
【手続補正１】
【補正対象書類名】明細書
【補正対象項目名】特許請求の範囲
【補正方法】変更
【補正の内容】
【特許請求の範囲】
【請求項１】
１フィールドが複数のサブフィールドから構成され、
１フィールド内の各サブフィールドの放電回数の和で階調が表現されるプラズマディスプレイであって、
所定の抑制率に対応して、１フィールド内の総放電回数を決定する駆動方法において、
（ａ）抑制率に対応して決定された総放電回数を実現する複数種類の各サブフィールドの放電回数の組み合わせ（放電回数パターン）を準備する工程と、
（ｂ）前記工程（ａ）で準備された複数種類の放電回数パターンのうちの一つを所定の順序で選択する工程と、
（ｃ）前記工程（ｂ）で選択された前記放電回数パターンが示す前記放電回数で放電パルスを前記サブフィールド毎に発生する工程と、
を備え、
前記工程（ｂ）および（ｃ）が１フィールド毎に繰り返されるプラズマディスプレイ駆動方法。
【請求項２】
前記所定の順序は、前記複数種類の放電回数パターンを１フィールド毎に、変化しない順に並べた順序である請求項１記載のプラズマディスプレイ駆動方法。
【請求項３】
前記所定の順序は、前記複数種類の放電回数パターンを１フィールド毎に、順列による順に並べた順序である請求項１記載のプラズマディスプレイ駆動方法。
【請求項４】
前記所定の順序は、前記複数種類の放電回数パターンを１フィールド毎に、乱数に基づく順に並べた順序である請求項１記載のプラズマディスプレイ駆動方法。
【請求項５】
サブフィールド毎に、プラズマディスプレイの画素を放電させるための放電パルスを所定の抑制率に応じた放電回数で発生させるが、前記画素を放電させるか否かについては所定の階調度を示す信号に応じて決定するプラズマディスプレイの駆動装置であって、
前記所定の抑制率に対応して、前記サブフィールド毎の前記放電回数からなる１フィールドの放電回数パターンの複数種類を、１フィールド毎に所定の順序で発生するパターン発生回路と、
前記パターン発生回路で発生した前記放電回数パターンが示す前記放電回数で前記放電パルスを前記サブフィールド毎に発生する駆動波形発生回路と、
を備えたプラズマディスプレイ駆動装置。
【請求項６】
前記パターン発生回路は、
前記複数種類の放電回数パターンが予め格納された記憶部を含む請求項５記載のプラズマディスプレイ駆動装置。
【請求項７】
前記記憶部は、
前記複数種類の放電回数パターンのうち下位のサブフィールドの放電回数を格納し、
前記パターン発生回路は、
前記複数種類の放電回数パターンのうち上位のサブフィールドの放電回数を、固定の放電回数と前記所定の抑制率との乗算によって算出する算出部をさらに備えた請求項６記載のプラズマディスプレイ駆動装置。
【請求項８】
前記所定の順序は、前記複数種類の放電回数パターンを１フィールド毎に、変化しない順に並べた順序である請求項５記載のプラズマディスプレイ駆動装置。
【請求項９】
前記所定の順序は、前記複数種類の放電回数パターンを１フィールド毎に、順列による順に並べた順序である請求項５記載のプラズマディスプレイ駆動装置。
【請求項１０】
前記所定の順序は、前記複数種類の放電回数パターンを１フィールド毎に、乱数に基づく順に並べた順序である請求項５記載のプラズマディスプレイ駆動装置。
【手続補正２】
【補正対象書類名】明細書
【補正対象項目名】００２２
【補正方法】変更
【補正の内容】
【００２２】
【課題を解決するための手段】
本発明の請求項１に係る課題解決手段は、１フィールドが複数のサブフィールドから構成され、１フィールド内の各サブフィールドの放電回数の和で階調が表現されるプラズマディスプレイであって、所定の抑制率に対応して、１フィールド内の総放電回数を決定する駆動方法において、（ａ）抑制率に対応して決定された総放電回数を実現する複数種類の各サブフィールドの放電回数の組み合わせ（放電回数パターン）を準備する工程と、（ｂ）前記工程（ａ）で準備された複数種類の放電回数パターンのうちの一つを所定の順序で選択する工程と、（ｃ）前記工程（ｂ）で選択された前記放電回数パターンが示す前記放電回数で放電パルスを前記サブフィールド毎に発生する工程と、を備え、前記工程（ｂ）および（ｃ）が１フィールド毎に繰り返される。
【手続補正３】
【補正対象書類名】明細書
【補正対象項目名】００２３
【補正方法】変更
【補正の内容】
【００２３】
本発明の請求項２に係る課題解決手段において、前記所定の順序は、前記複数種類の放電回数パターンを１フィールド毎に、変化しない順に並べた順序である。
【手続補正４】
【補正対象書類名】明細書
【補正対象項目名】００２４
【補正方法】変更
【補正の内容】
【００２４】
本発明の請求項３に係る課題解決手段において、前記所定の順序は、前記複数種類の放電回数パターンを１フィールド毎に、順列による順に並べた順序である。
【手続補正５】
【補正対象書類名】明細書
【補正対象項目名】００２５
【補正方法】変更
【補正の内容】
【００２５】
本発明の請求項４に係る課題解決手段において、前記所定の順序は、前記複数種類の放電回数パターンを１フィールド毎に、乱数に基づく順に並べた順序である。
【手続補正６】
【補正対象書類名】明細書
【補正対象項目名】００２９
【補正方法】変更
【補正の内容】
【００２９】
本発明の請求項８に係る課題解決手段において、前記所定の順序は、前記複数種類の放電回数パターンを１フィールド毎に、変化しない順に並べた順序である。
【手続補正７】
【補正対象書類名】明細書
【補正対象項目名】００３０
【補正方法】変更
【補正の内容】
【００３０】
本発明の請求項９に係る課題解決手段において、前記所定の順序は、前記複数種類の放電回数パターンを１フィールド毎に、順列による順に並べた順序である。
【手続補正８】
【補正対象書類名】明細書
【補正対象項目名】００３１
【補正方法】変更
【補正の内容】
【００３１】
本発明の請求項１０に係る課題解決手段において、前記所定の順序は、前記複数種類の放電回数パターンを１フィールド毎に、乱数に基づく順に並べた順序である。
【手続補正９】
【補正対象書類名】明細書
【補正対象項目名】００４６
【補正方法】変更
【補正の内容】
【００４６】
また、抑制率が１６分の１６の場合、すなわち、電力を抑制しない場合は、放電パターンの種類は表３に示すＺのみである。複数種類の放電回数パターンには、例外として、電力を抑制しない場合の１種類の放電パターンも含める。
【手続補正１０】
【補正対象書類名】明細書
【補正対象項目名】００７４
【補正方法】変更
【補正の内容】
【００７４】
【発明の効果】
本発明請求項１によると、放電パルスについて、工程（ｂ）及び（ｃ）が繰り返されることによって、工程（ａ）で準備された複数種類の放電回数パターンが繰り返される。画素の階調及び消費電力は、複数のフィールドの平均になるため、精度が向上する。例えば、画質劣化を防ぎつつ、消費電力を抑制率と同じ程度にすることが可能である。
【手続補正１１】
【補正対象書類名】明細書
【補正対象項目名】００７５
【補正方法】変更
【補正の内容】
【００７５】
本発明請求項２によると、所定の順序が複数種類の放電回数パターンを１フィールド毎に、変化しない順に並べた順序であることによって、構成が簡単になる。
【手続補正１２】
【補正対象書類名】明細書
【補正対象項目名】００７６
【補正方法】変更
【補正の内容】
【００７６】
本発明請求項３によると、所定の順序が複数種類の放電回数パターンを１フィールド毎に、順列による順に並べた順序であることによって、フリッカが低減できる。
【手続補正１３】
【補正対象書類名】明細書
【補正対象項目名】００７７
【補正方法】変更
【補正の内容】
【００７７】
本発明請求項４によると、所定の順序が複数種類の放電回数パターンを１フィールド毎に、乱数に基づく順に並べた順序であることによって、フリッカが低減できる。
【手続補正１４】
【補正対象書類名】明細書
【補正対象項目名】００８１
【補正方法】変更
【補正の内容】
【００８１】
本発明請求項８によると、所定の順序が複数種類の放電回数パターンを１フィールド毎に、変化しない順に並べた順序であることによって、パターン発生回路の構成が簡単になる。
【手続補正１５】
【補正対象書類名】明細書
【補正対象項目名】００８２
【補正方法】変更
【補正の内容】
【００８２】
本発明請求項９によると、所定の順序が複数種類の放電回数パターンを１フィールド毎に、順列による順に並べた順序であることによって、フリッカが低減できる。
【手続補正１６】
【補正対象書類名】明細書
【補正対象項目名】００８３
【補正方法】変更
【補正の内容】
【００８３】
本発明請求項１０によると、所定の順序が複数種類の放電回数パターンを１フィールド毎に、乱数に基づく順に並べた順序であることによって、フリッカが低減できる。